(57)【要約】【課題】従来、ホテル側がインターネットを介する複数のホテル予約サイトにおいて設定していた、提供室数、料金の設定を、一箇所のサイトに設定することで、従来の複数のホテル予約サイトに自動配信されるインターネットによるホテルデータ自動設定サービスシステムを提供する。【解決手段】インターネットＩに接続されたホテルデータ自動設定サイトＳが、自動配信サーバＳａと提供室数・料金データベースＳｂおよび予約サイト登録データベースＳｃを備え、このホテルデータ自動設定サイトＳに、ホテルＨ１，Ｈ２…が日ごとの提供室数、料金、設定日時を設定すると、あらかじめ設定している複数のホテル予約サイトＹ１，Ｙ２…へアクセスし、提供室数・料金データベースＳｂに蓄積されたデータを、ホテル予約サーバＹ１ａ，Ｙ２ａ…に配信して、提供室数・料金データベースＹ１ｂ，Ｙ２ｂのデータを提供室数・料金データベースＳｂの内容に書き換える。【選択図】図１
2004021960.tif 000002
【特許請求の範囲】
【請求項１】
インターネットに接続されたホテルデータ自動設定サイトが、自動配信システムとホテルごとに、日ごとの提供室数・料金のデータベースを備え、この設定サイトの自動配信サーバに、日ごとの提供室数、料金および設定日時を設定するホテルがインターネットを経由してデータを設定すると、蓄積されたデータは自動配信システムにより蓄積された設定日時に、ホテルが登録する複数のホテル予約サイトに日ごとの提供室数、料金のデータを配信して、複数のホテル予約サイトの、日ごとの提供室数、料金のデータが自動的に書き換えられる、ことを特徴とするホテルデータ自動設定サービスシステム。
【請求項２】
前記ホテルデータ自動設定サイトが、あらかじめ登録された複数のホテル予約サイトに接続するためのホテル予約サイト登録データベースを備え、ホテルによりホテル予約サイトごとの基本設定内容を事前に設定することにより、前記自動配信サーバが、登録データベースに基づいて、複数のホテル予約サイトに自動接続して、日ごとの提供室数、料金の変更データに基づいて、ホテル予約サイトのデータを書き換える請求項１に記載のインターネットによるホテルデータ自動設定サービスシステム。
【発明の詳細な説明】
【０００１】
【発明の属する技術分野】
この発明は、ホテルがインターネットを介してホテル予約サイトの日ごとの提供室数、料金の設定を行うためのサービスを提供するホテルデータ自動設定サービスシステムに関する。
【０００２】
【発明が解決しようとする課題】
近年、インターネットの普及に伴って、インターネットを利用したホテル予約サイトが複数存在するようになり、ホテル利用者が積極的に利用するようになっている。
【０００３】
このようなホテル予約サイトは、日ごとの提供室数、料金が設定できるようになっており、ホテルは登録しているホテル予約サイトのＵＲＬ（Ｕｎｉｆｏｒｍ　Ｒｅｓｏｕｒｃｅ　Ｌｏｃａｔｏｒ）を指定してインターネットを介してそのホテル予約サイトにアクセスし、表示された設定ページにおいて、日ごとの提供室数、料金を入力して設定する。
【０００４】
ホテルは、販路を拡大してホテル利用者を獲得するために、複数のホテル予約サイトに登録する必要がある。
【０００５】
しかしながら、複数のホテル予約サイトに登録すると、それぞれのホテル予約サイトで日ごとの提供室数、料金を設定する必要が生じる。
【０００６】
このため、ホテルが複数のホテル予約サイトに登録して利用する場合には、非常に手数が必要になっている。
【０００７】
この発明は、上記のようなインターネットを介して同様の設定を何度も繰り返す問題点を解決するためになされたものである。すなわち、この発明は、複数のホテル予約サイトに設定を行う、日ごとの提供室数、料金を一箇所のホテルデータ自動設定サービスシステムに設定することで、ホテルが登録している複数のホテル予約サイトの、日ごとの提供室数、料金をすべて変更することを目的とする。
【０００８】
【課題を解決するための手段】
第１の発明によるインターネットにおけるホテルデータ自動設定サービスシステムは、インターネットに接続さたホテルデータ自動設定サイトが、自動配信システムとホテルごとに日ごとの室数・提供料金のデータベースを備え、このホテルデータ自動設定サーバに提供されるホテルごとの設定データを蓄積するとともに、登録している複数のホテル予約サイトにデータを配信して、複数のホテル予約サイトの、日ごとの提供室数、料金のデータを自動的に書き換えることを特徴としている。
【０００９】
この第１の発明によるインターネットによるホテルデータ自動設定サービスシステムは、ホテルがホテル端末である情報端末装置によってインターネットを介してホテルデータ自動設定サイトにアクセスして、日ごとの室数、提供料金を設定することで、このホテルデータ自動設定サービスシステムの利用が行われる。
【００１０】
また、ホテルデータ自動設定サービスシステムは、ホテルが設定した、日ごとの提供室数、料金をいつの時点で登録するそれぞれのホテル予約サイトにデータ配信を行うか設定することが可能である。
【００１１】
これにより、ホテルは設定した日ごとの提供室数、料金を登録するホテル予約サイトに自動的に設定することが可能となる。
【００１２】
したがって、上記第１の発明によれば、このホテルデータ自動設定サービスシステムを利用することによって、登録する複数のホテル予約サイトの、日ごとの提供室数、料金を一括して設定することができるようになり、従来のように登録する複数のホテル予約サイトそれぞれに日ごとの提供室数、料金を設定する必要をなくすことができる。
【００１３】
第２の発明によるインターネットによるホテルデータ自動設定サービスシステムは、前記目的を達成するために、第１の発明の構成に加えて、前記ホテルデータ自動設定サーバが、複数のホテル予約サイトに接続するための登録データベースを備え、ホテルが登録している複数のホテル予約サイトの基本設定内容を事前に設定することにより、ホテル予約サイトごとに設定の違う基本設定内容を統合して、日ごとの提供室数、料金設定を一元化することが可能となる。
【００１４】
この第２の発明によるインターネットによるホテルデータ設定サービスシステムは、ホテル予約サイトごとの接続に必要なユーザ登録番号などと設定している提供客室タイプなどを登録することができる。
【００１５】
そして、ホテルデータ自動設定サーバは、ホテル予約サイトごとに違いのある提供客室タイプの設定データを一元化することが可能となる。
【００１６】
したがって、この第２の発明によれば、ホテルは、あらかじめホテル予約サイトごとのユーザ登録番号などと提供客室タイプなどを設定することで、登録している複数のホテル予約サイトの、日ごとの提供室数、料金の設定を一括して実行することが容易となる。
【００１７】
【発明の実施の形態】
以下、この発明の実施の形態について、図面を参照しながら詳細に説明を行う。
【００１８】
図面において、ホテルデータ自動設定サイトＳは、ホテルが複数のホテル予約サイトＹ１，Ｙ２…の、日ごとの提供室数、料金データの自動設定サービスを提供するサイトであり、自動配信サーバＳａと、後述するホテルＨ１，Ｈ２…が設定する日ごとの提供室数、料金データが設定できる提供室数・料金データベースＳｂと、ホテルＨ１，Ｈ２…が登録しているホテル予約サイトＹ１，Ｙ２…の基本設定内容を設定できる予約サイト登録データベースＳｃを備えていて、インターネットＩに接続されている。
【００１９】
また、ホテル予約サイトＹ１，Ｙ２…は、ホテル予約サービスをホテル利用者Ｕ１，Ｕ２…に提供するためにそれぞれ運営している既存のサイトであり、何れも、ホテル予約サーバＹ１ａ，Ｙ２ａ…と、ホテルＨ１，Ｈ２…の日ごとの提供室数、料金などのホテルデータが蓄積された提供室数・料金データベースＹ１ｂ，Ｙ２ｂ…を備えていて、それぞれインターネットＩに接続されている。
【００２０】
そして、ホテルＨ１，Ｈ２…は端末であるパソコンを図示しない公衆電話回線網等およびアクセスサーバを介してインターネットＩに接続し、ＷＷＷブラウザと呼ばれるアプリケーションプログラムを使用して、ホテルデータ自動設定サイトＳにアクセスすることにより、このホテルデータ自動設定サイトＳが提供するホテルデータ自動設定サービスシステムを利用することができる。
【００２１】
ホテルデータ自動設定サイトＳの自動配信サーバＳａは、ホテルＨ１，Ｈ２…からインターネットＩを介してアクセスされると、そのホテルＨ１，Ｈ２…に、提供室数、料金、設定日時を設定するためのＷＷＷページを表示するＨＴＭＬデータの送信を行うようプログラムされている。
【００２２】
そして、自動配信サーバＳａは、ホテルＨ１，Ｈ２…に表示されたＷＷＷページ上において、提供室数、料金、設定日時の設定が行われると、提供室数・料金データベースＳｂに蓄積する。
【００２３】
また、自動配信サーバＳａは、ホテルＨ１，Ｈ２…からインターネットＩを介してアクセスされると、そのホテルＨ１，Ｈ２…に、ホテル予約サイトＹ１，Ｙ２…の基本設定内容を設定するためのＷＷＷページを表示するＨＴＭＬデータの送信を行うようプログラムされている。
【００２４】
そして、自動配信サーバＳａは、ホテルＨ１，Ｈ２…に表示されたＷＷＷページ上において、ホテル予約サイトＹ１，Ｙ２…基本設定内容の設定が行われると、予約サイト登録データベースＳｃに蓄積する。
【００２５】
自動配信サーバＳａは、提供室数・料金データベースＳｂに蓄積された設定日時の情報を基に、その設定日時になると、予約サイト登録データベースＳｃに蓄積されたデータを基に、インターネットＩを介してホテル予約サイトＹ１，Ｙ２…にアクセスし、提供室数・料金データベースＳｂに蓄積された、日ごとの提供室数、料金を、ホテル予約サイトＹ１，Ｙ２…の提供室数・料金データベースＹ１ｂ，Ｙ２ｂ…に配信して、ホテル予約サイトＹ１，Ｙ２…の提供室数・料金データベースＹ１ｂ，Ｙ２ｂ…に蓄積されている日ごとの提供室数、料金を、自動配信サーバＳａの提供室数・料金データベースＳｂに蓄積されたデータに書き換える。
【００２６】
このようにしてホテルＨ１，Ｈ２…は、ホテルデータ自動設定サイトＳに日ごとの提供室数、料金を設定することで、登録しているホテル予約サイトＹ１，Ｙ２…の、日ごとの提供室数、料金のデータを自動的に書き換えることができるようになる。
【図面の簡単な説明】
【図１】この発明の実施形態を示すシステム構成図である。
【符号の説明】
Ｓホテルデータ自動設定サイト
Ｓａ自動配信サーバ
Ｓｂ提供室数・料金データベース
Ｓｃ予約サイト登録データベース
Ｙ１，Ｙ２…ホテル予約サイト
Ｙ１ａ，Ｙ２ａ…ホテル予約サーバ
Ｙ１ｂ，Ｙ２ｂ…提供室数・料金データベース
Ｉインターネット
Ｈ１，Ｈ２…ホテル側情報端末装置としてのパーソナルコンピュータ
Ｕ１，Ｕ２…ホテル利用者側情報端末装置としてのパーソナルコンピュータ
【図１】
2004021960.tif 000003